(57)【要約】【課題】基礎用換気口と外壁通気口とにおける小動物の侵入防止を行うにあたり、コストダウンを図ることを可能とし、かつ、設置の手間を省くことができる防鼠材を提供すること。【解決手段】基礎用換気口３を覆って建物本体２の下端部に沿って配置され、基礎用換気口３への通気は可能とする一方で小動物の侵入は防止する防鼠片５２と、防鼠片５２に一体に形成され、防鼠片５２を取付状態としたときに、外壁通気層４の下方に沿って配置され、外壁２２との間に、外壁通気層４への通気は可能とする一方で小動物の侵入は防止する侵入防止用隙間Ｄを形成する侵入防止片５３と、を備えている構成とした。【選択図】図１
2007113215.tif 000002
【特許請求の範囲】
【請求項１】
基礎の上に建物本体が設置され、基礎と建物本体との間に、屋外と基礎内とを換気する基礎用換気口が形成され、前記建物本体の外周に立設された外壁には、この外壁の外側を覆う外壁材の裏側に沿って上下方向に外壁通気層が形成された建物に使用される防鼠材であって、
前記基礎用換気口を覆って前記建物本体の下端部に沿って配置され、建物への取付状態で、前記基礎用換気口への通気は可能とする一方で小動物の侵入は防止する防鼠材本体と、
この防鼠材本体に結合され、前記防鼠材本体を前記取付状態としたときに、前記外壁通気層の下方に沿って配置され、前記外壁通気層よりも屋外側位置で、前記外壁との間に、前記外壁通気層への通気は可能とする一方で小動物の侵入は防止する侵入防止用隙間を形成する侵入防止部材と、
を備えていることを特徴とする防鼠材。
【請求項２】
前記基礎上への設置状態で、前記防鼠材本体および侵入防止片部材を、それぞれ小動物の侵入を防止する所定の取付位置に保持可能な設置用部材が、前記防鼠材本体の下端に設けられていることを特徴とする請求項１に記載の防鼠材。
【請求項３】
前記防鼠材本体と侵入防止部材と設置部材とが、一体に形成されていることを特徴とする請求項２に記載の防鼠材。
【請求項４】
前記侵入防止部材の上面に、前記外壁の下部に貼付された水侵入防止用の壁下シートが張り合わされていることを特徴とする請求項１〜３のいずれか１項に記載の防鼠材。
【請求項５】
請求項１〜請求項４のいずれかに記載した防鼠材が、前記基礎用換気口を覆うとともに、前記外壁との間に前記侵入防止用隙間を形成して、前記基礎と建物本体との間に設置されていることを特徴とする建物。
【発明の詳細な説明】
【技術分野】
【０００１】
本発明は、建物の基礎の内側および外壁通気層に小動物が侵入するのを防止する防鼠材に関する。
【背景技術】
【０００２】
基礎の上に建物本体が設置された建物において、基礎と建物本体との間に、基礎の内側を換気する基礎用換気口が開口されたものが知られている。
【０００３】
また、この基礎用換気口に、基礎の内側に鼠などの小動物が侵入するのを防止する防鼠材を設けたものが知られている（例えば、特許文献１参照）。
【０００４】
また、建物の外壁において、湿度対策などのために、外壁材と壁本体との間に外壁通気層を設けることが知られている。この外壁通気層への小動物の侵入を防止する場合、外壁材の下端に開口された外壁通気口に、別途、防鼠材を設けていた。
【特許文献１】特開２００１−１１５５６０号公報
【発明の開示】
【発明が解決しようとする課題】
【０００５】
上述のように、従来は、基礎用換気口と外壁通気口とのそれぞれに防鼠材を設定していたため、防鼠材としてのコストならびに取付用具のコストを要し、コスト高を招く、加えて、設置に手間がかかるという問題があった。
【０００６】
そこで、本発明は、基礎用換気口と外壁通気口とにおける小動物の侵入防止を行うにあたり、コストダウンを図ることを可能とし、かつ、設置の手間を省くことができる防鼠材を提供することを目的とするものである。
【課題を解決するための手段】
【０００７】
本発明は、上述事情に鑑みなされたものであって、請求項１に記載の発明は、基礎の上に建物本体が設置され、基礎と建物本体との間に、屋外と基礎内とを換気する基礎用換気口が形成され、前記建物本体の外周に立設された外壁には、この外壁の外側を覆う外壁材の裏側に沿って上下方向に外壁通気層が形成された建物に使用される防鼠材であって、前記基礎用換気口を覆って前記建物本体の下端部に沿って配置され、建物への取付状態で、前記基礎用換気口への通気は可能とする一方で小動物の侵入は防止する防鼠材本体と、この防鼠材本体に結合され、前記防鼠材本体を前記取付状態としたときに、前記外壁通気層の下方に沿って配置され、前記外壁通気層よりも屋外側位置で、前記外壁との間に、前記外壁通気層への通気は可能とする一方で小動物の侵入は防止する侵入防止用隙間を形成する侵入防止部材と、を備えていることを特徴とする防鼠材である。
【０００８】
また、請求項２に記載の発明は、請求項１に記載の防鼠材において、前記基礎上への設置状態で、前記防鼠材本体および侵入防止片部材を、それぞれ小動物の侵入を防止する所定の取付位置に保持可能な設置用部材が、前記防鼠材本体の下端に設けられていることを特徴とする記載の防鼠材である。
【０００９】
また、請求項３に記載の発明は、請求項２に記載の防鼠材において、前記防鼠材本体と侵入防止部材と設置部材とが、一体に形成されていることを特徴とする防鼠材である。
【００１０】
また、請求項４に記載の発明は、請求項１〜３のいずれか１項に記載の防鼠材において、前記侵入防止部材の上面に、前記外壁の下部に貼付された水侵入防止用の壁下シートが張り合わされていることを特徴とする防鼠材である。
【００１１】
また、請求項５に記載の発明は、請求項１〜請求項４のいずれかに記載した防鼠材が、前記基礎用換気口を覆うとともに、前記外壁との間に前記侵入防止用隙間を形成して、前記基礎と建物本体との間に設置されていることを特徴とする建物である。
【発明の効果】
【００１２】
請求項１に記載の防鼠材では、防鼠材本体を、基礎用換気口を覆って建物本体の下端部に沿って配置させた取付状態としたときには、この防鼠材本体に結合された侵入防止片が、外壁通気層よりも屋外側位置の外壁との間に、外壁通気層に対し、通気は可能とする一方で小動物の侵入は防止する侵入防止用隙間を形成する。
【００１３】
したがって、本発明の防鼠材では、防鼠材本体により基礎用換気口からの小動物の侵入防止を図るとともに、侵入防止部材により外壁通気層からの小動物の侵入を防止する。
【００１４】
このように、１つの防鼠材により、基礎用換気口と外壁通気層との両方の小動物の侵入防止を図ることができるため、基礎用換気口と外壁通気層との小動物侵入防止をそれぞれ別個に行うものと比較して、防鼠材自体のコストを低減することができるとともに、取付作業工数を削減することができる。
【００１５】
請求項２に記載の防鼠材にあっては、設置部材を基礎上の所定位置に設置したときには、防鼠材本体および侵入防止片部材が、それぞれ小動物の侵入を防止する所定の取付位置に保持される。
【００１６】
このように、設置部材が、防鼠材本体および侵入防止片部材を保持するため、位置決め作業などが容易であり、作業性に優れる。
【００１７】
請求項３に記載の防鼠材にあっては、防鼠材本体、侵入防止部材、設置部材を一体に形成したため、別体のものを結合させるのと比較して、製造の手間を削減してコスト低減を図ることができる。
【００１８】
請求項４に記載の防鼠材にあっては、侵入防止部材と外壁の下部との間が、壁下シートにより塞がれる。このため、外壁と防鼠材との間からの水の浸入を防止でき、建物の水侵入防止性能が向上する。
【００１９】
請求項５に記載の建物にあっては、基礎と建物本体との間に設置した１つの防鼠材により、基礎用換気口と外壁通気層との両方の小動物の侵入防止を図ることができるため、基礎用換気口と外壁通気層との小動物侵入防止をそれぞれ別個に行うものと比較して、防鼠材自体のコストを低減することができるとともに、取付作業工数を削減することができる。
【発明を実施するための最良の形態】
【００２０】
以下、本発明の実施の形態を図面に基づいて説明する。
【００２１】
（実施の形態１）
まず、実施の形態１の防鼠材Ａを備えた建物Ｈの全体構成の概略を説明する。
【００２２】
図１に示すように、建物Ｈは、基礎１の上に建物本体２を設置して構成されている。
【００２３】
建物本体２は、例えば、複数の建物ユニットを結合して構成されたもので、基礎１に植え込まれたボルト１ａに固定された土台２１と、この土台２１の外周に立てられた外壁２２とを備えている。
【００２４】
また、基礎１の上面１ｂと土台２１との間には、図２に示すように、水平方向に所定の間隔で土台パッキン１１が複数設置されており、基礎１の上面１ｂと建物本体２（土台２１）の下端との間に、屋外と基礎内とを換気する基礎用換気口３が複数形成されている。
【００２５】
なお、図１に示すように、土台２１は、その屋外側端部（図において矢印ＯＵＴが屋外方向を、矢印ＩＮが屋内方向を示している）の位置が、基礎１の屋外側端部の位置よりも所定寸法だけ屋内側に配置され、基礎１の上面１ｂの屋外側端部に、防鼠材Ａを設置するための設置面１ｃが形成されている。
【００２６】
外壁２２は、柱２２ａを有した構造躯体２２ｂと、この構造躯体２２ｂの外側を覆って設けられた構造面材２２ｃと、この構造面材２２ｃの外側に貼付された透湿防水シート２２ｄと、この透湿防水シート２２ｄとの間に外壁２２の上下方向の全長に亘って外壁通気層４を形成して取り付けられた外壁材２２ｅと、この外壁材２２ｅの下端部にネジなどで固定されたブラケット２２ｆに支持され、外壁材２２ｅの下端部の水平方向全長を覆って設けられた土台モール２２ｇと、を備えている。
【００２７】
なお、外壁材２２ｅの外側面には、塗料が塗られている。また、構造面材２２ｃならびに外壁材２２ｅは、その下端が土台２１の下端よりも僅かな寸法Ｌ１（例えば、３ｍｍ）だけ高い位置に配置されている。また、土台モール２２ｇは、その下端が、基礎１の上面１ｂの高さよりも低い位置まで下方に延在され、外壁通気層４への雨水の浸入を防止している。
【００２８】
基礎用換気口３は、基礎１の設置面１ｃの上に設置された防鼠材Ａで覆われている。この防鼠材Ａは、基礎１の全周に亘って設置されており（図２参照のこと）、縦断面が略コの字形状を成して配置された設置片（設置部材）５１、防鼠片（防鼠材本体）５２、侵入防止片（侵入防止材）５３の３片を有し、例えば、ガルバリウム鋼板などの金属板により一体に形成されている。
【００２９】
防鼠片５２は、基礎用換気口３の通気は許すが鼠などの小動物の侵入を防止するもので、図３（ｂ）に示すように、水平方向の全長に亘って縦長の長方形形状の換気口５２ａが複数開口されている。また、換気口５２ａの上下方向中間部には、剛性の補強用のリブ５２ｂが形成されている。
【００３０】
なお、本実施の形態１では、換気口５２ａは、水平方向寸法Ｌ２が小動物の侵入を防止すべく８ｍｍ以下の幅に形成され、上下方向寸法Ｌ３が基礎用換気口３の上下方向寸法に略等しい寸法（例えば、２４ｍｍ）に形成されている。また、換気口５２ａと換気口５２ａとの間隔Ｌ４が、本実施の形態１では３ｍｍ程度の寸法に形成され、両端の幅Ｌ５は、それよりも広い寸法（例えば、５ｍｍ）に形成されている。
【００３１】
設置片５１は、防鼠片５２の下端に略直角の角度で一体に連続して形成されていて、この設置片５１を基礎１の設置面１ｃに重ねて設置したときに、防鼠片５２を土台パッキン１１の外側面に当接させて基礎用換気口３を覆った図１の取付位置に配置した状態で、防鼠片５２を保持可能に形成されている。また、設置片５１には、図示は省略するが、複数の取付用孔が貫通して形成されている。なお、設置片５１の幅寸法Ｌ６は、上記のように防鼠片５２が基礎用換気口３を覆う取付位置に配置したときに、設置片５１の屋外側先端が、基礎１の屋外側先端と略一致する寸法に形成されている。
【００３２】
侵入防止片５３は、外壁通気層４への鼠などの小動物の侵入を防止するためのもので、防鼠片５２の上端に、上記の防鼠片５２の設置状態で屋外側の先端が下がる向きに傾斜する角度θで一体に連続して形成されている。そして、この侵入防止片５３は、防鼠片５２を、基礎用換気口３を塞いだ図１に示す取付位置に配置したときに、外壁材２２ｅの下端および土台モール２２ｇの下部との間に侵入防止用隙間Ｄを形成する。
【００３３】
この侵入防止用隙間Ｄは、外壁材２２ｅの下端との間の寸法Ｌ８と土台モール２２ｇの下部との間の寸法Ｌ９との少なくとも一方が、外壁通気層４に対し矢印Ｋ２で示す通気は可能であるが小動物の侵入は妨げることができる寸法となるように、その幅寸法Ｌ７および防鼠片５２との傾斜角度θが設定されている。なお、本実施の形態１では、侵入防止用隙間Ｄの寸法Ｌ８，Ｌ９は、８ｍｍ以下に設定されている。
【００３４】
さらに、侵入防止片５３の上面には、構造面材２２ｃを覆う透湿防水シート２２ｄの下端部に貼付された壁下シート２２ｈの下端部が張り合わされ、水切りおよび構造躯体２２ｂ側への水の浸入防止を図っている。
【００３５】
次に、実施の形態１の作用について説明する。
【００３６】
以上のように構成された実施の形態１の防鼠材Ａおよびこの防鼠材Ａが設置された建物Ｈにあっては、建物本体２の設置前あるいは設置後に基礎１の設置面１ｃの上に設置する。そして、図１に示す設置状態では、防鼠片５２が、換気口５２ａにより基礎用換気口３の換気を確保しつつ（矢印Ｋ１で示す空気の流れ）、小動物の侵入を防止する。さらに、侵入防止片５３は、外壁通気層４と屋外との間に形成された侵入防止用隙間Ｄの寸法Ｌ８，Ｌ９を８ｍｍ以下とすることで、外壁通気層４の換気を確保しつつ、小動物の侵入を防止する。
【００３７】
さらに、侵入防止片５３は、屋外方向へ向けて下がって形成されているため、外壁２２の下端部の水切りを行う。
【００３８】
以上説明したように、実施の形態１の防鼠材Ａは、基礎用換気口３への小動物侵入防止用の防鼠片５２と、外壁通気層４への小動物侵入防止片用の侵入防止片５３とを一体に形成したため、２箇所の小動物侵入を１回の取付作業により行うことができる。
【００３９】
このように、１つの防鼠材Ａにより、基礎用換気口３と外壁通気層４との両方の小動物の侵入防止を図ることができるため、基礎用換気口３と外壁通気層４との小動物侵入防止をそれぞれ別個に行うものと比較して、防鼠材Ａそれ自体のコストを低減することができるとともに、取付作業工数を削減することができる。
【００４０】
加えて、防鼠片５２、侵入防止片５３、設置片５１を一体に形成したため、別体のものを結合させるのと比較して、製造の手間を削減してコスト低減を図ることができる。
【００４１】
しかも、上述の２箇所の小動物侵入防止を図るにあたり、一方は、防鼠片５２で覆うが、もう一方は、侵入防止片５３と外壁材２２ｅもしくは土台モール２２ｇの下端部との侵入防止用隙間Ｄの寸法により行うようにしていて、外壁通気層４側に取り付けない構造としたため、建物Ｈにおける基礎１と建物本体２との寸法誤差や、建物本体２における土台２１と外壁２２との寸法誤差を許容することができる。特に、本実施の形態１では、構造面材２２ｃならびに外壁材２２ｅの下端が土台２１の下端よりも僅かな寸法Ｌ１（例えば、３ｍｍ）だけ高い位置に配置しているため、上記寸法誤差により防鼠材Ａの設置スペースが確保できなくなる不具合が生じにくい。
【００４２】
さらに、本実施の形態１の防鼠材Ａにあっては、防鼠材Ａを設置片５１、防鼠片５２、侵入防止片５３の３片で略コの字縦断面形状に形成したため、設置の際に、設置片５１を基礎１の設置面１ｃに重ねるだけで、防鼠片５２が略直立した設置状態を保持できるため、作業性に優れる。
【００４３】
加えて、構造面材２２ｃの下端部に貼付した壁下シート２２ｈを、侵入防止片５３の上面に張り合わせたため、両者を張り合わせていない構造と比較して、構造躯体２２ｂへの水の浸入をより確実に防止することができる。
【００４４】
以上、図面を参照して、本発明の実施の形態１について詳述してきたが、具体的な構成は、この実施の形態１に限定されるものではなく、本発明の要旨を逸脱しない程度の設計的変更は、本発明に含まれる。
【００４５】
すなわち、実施の形態では、防鼠材Ａとしてガルバリウム鋼板で一体に形成したものを示したがこれに限定されない。例えば、防鼠材本体としては、実施の形態１で示した板状の部材に換気口５２ａを開口したものの他にも、金属製の骨格部材に網状の部材を設けたものなどを用いることができる。この場合、侵入防止部材として、防鼠材本体とは、別体のものを結合して形成することができる。さらに、防鼠材として、実施の形態で示したような金属製のものの方が、小動物により囓られた場合の耐久性の点で好ましいが、小動物が好まない薬剤などを含ませた樹脂などを用いることもできる。
【００４６】
また、実施の形態では、防鼠材Ａとして、コの字縦断面形状のものを示したが、このような形状に限定されない。要は、基礎用換気口を覆う防鼠材本体と、外気通気層への小動物の侵入を防止する隙間を形成する侵入防止部材と、を備えていればよいもので、これら防鼠財本体と侵入防止部材のみで構成する場合、例えば、実施の形態１で示した、防鼠片５２と侵入防止片５３とにより略への字断面形状に形成したものであってもよい。この場合、防鼠材本体は、台座などに固定する。同様に設置部材は、実施の形態１で示した長板状の設置片５１に限定されず、例えば、防鼠材本体の下端から屋外方向に延びる短冊状の片を多数一体に形成してもよい。
【図面の簡単な説明】
【００４７】
【図１】本発明の実施の形態１の防鼠材Ａを備えた建物Ｈの要部を示す断面図である。
【図２】本発明の実施の形態１の防鼠材Ａを備えた建物Ｈの下部を示す斜視図である。
【図３】本発明の実施の形態１の防鼠材Ａを示す三面図で、（ａ）は平面図、（ｂ）は背面図、（ｃ）は側面図である。
【符号の説明】
【００４８】
１     基礎
２     建物本体
３     基礎用換気口
４     外壁通気層
２２   外壁
２２ａ 柱
２２ｈ 壁下シート
５１   設置片（設置部材）
５２   防鼠片（防鼠材本体）
５３   侵入防止片（侵入防止部材）
Ａ     防鼠材
Ｄ     侵入防止用隙間
Ｈ     建物
【図１】
2007113215.tif 000003
【図２】
2007113215.tif 000004
【図３】
2007113215.tif 000005